(57)【要約】【課題】  ファイル伝送のためのユーザインターフェース（Ｕｓｅｒ  Ｉｎｔｅｒｆａｃｅ）を提供する装置および方法が提供される。【解決手段】  ファイル伝送のためのユーザインターフェースを提供する装置は、ユーザインターフェースを提供する装置において、ユーザから送信対象である目的ファイルに対する第１選択命令の入力を受けるファイル目録領域と、前記目的ファイルの受信対象者に対する第２選択命令の入力を受ける伝送対象領域と、前記目的ファイルが前記受信対象者に送信されるようにするための送信命令の入力を受ける実行領域と、を含み、前記第１選択命令、前記第２選択命令および前記送信命令は、前記ユーザインターフェース上で前記ユーザによって選択された位置の追跡結果により生成され、前記第１選択命令、前記第２選択命令および前記送信命令が生成される前に前記ファイル目録領域、前記伝送対象領域および前記実行領域が生成されて表示される、ファイル伝送のためのユーザインターフェースを提供する。【選択図】      図１
2014056599.tif 000002
【特許請求の範囲】
【請求項１】
ユーザインターフェースを提供する装置において、
ユーザから送信対象である目的ファイルに対する第１選択命令の入力を受けるファイル目録領域と、
前記目的ファイルの受信対象者に対する第２選択命令の入力を受ける伝送対象領域と、
前記目的ファイルが前記受信対象者に送信されるようにするための送信命令の入力を受ける実行領域と、を含み、
前記第１選択命令、前記第２選択命令および前記送信命令は、前記ユーザインターフェース上で前記ユーザによって選択された位置の追跡結果により生成され、
前記第１選択命令、前記第２選択命令および前記送信命令が生成される前に前記ファイル目録領域、前記伝送対象領域および前記実行領域が生成されて表示される、ファイル伝送のためのユーザインターフェースを提供する装置。
【請求項２】
前記ファイル目録領域は、前記入力された第１命令により前記目的ファイルがグループ別に表示される請求項１に記載のファイル伝送のためのユーザインターフェースを提供する装置。
【請求項３】
前記ファイル目録領域は、前記表示されたグループを選択時、該当グループ内のファイルが表示される請求項２に記載のファイル伝送のためのユーザインターフェースを提供する装置。
【請求項４】
前記第１選択命令は、前記ファイル目録領域でタッチ、ドラッグおよびスクロールのうち何れか一つ以上の動作により入力され、前記第１選択命令により少なくとも一つ以上のファイルが選択される請求項３に記載のファイル伝送のためのユーザインターフェースを提供する装置。
【請求項５】
前記伝送対象領域は、前記入力された第２命令により前記受信対象者がグループ別に表示される請求項１に記載のファイル伝送のためのユーザインターフェースを提供する装置。
【請求項６】
前記伝送対象領域は、前記表示されたグループを選択時、該当グループ内の受信対象者が表示される請求項５に記載のファイル伝送のためのユーザインターフェースを提供する装置。
【請求項７】
前記第２選択命令は、前記伝送対象領域でタッチ、ドラッグおよびスクロールのうち何れか一つ以上の動作により入力され、前記第２選択命令により少なくとも一つ以上の受信対象者が選択される請求項６に記載のファイル伝送のためのユーザインターフェースを提供する装置。
【請求項８】
前記実行領域は、前記ファイル目録領域の第１選択命令により選択された目的ファイルがグループで管理される請求項１に記載のファイル伝送のためのユーザインターフェースを提供する装置。
【請求項９】
前記実行領域は、前記伝送対象領域の第２選択命令により選択された受信対象者がグループで管理される請求項１に記載のファイル伝送のためのユーザインターフェースを提供する装置。
【請求項１０】
前記送信された目的ファイルおよび受信対象者に対する履歴が表示されるファイル伝送履歴領域をさらに含む請求項１に記載のファイル伝送のためのユーザインターフェースを提供する装置。
【請求項１１】
ユーザインターフェースを提供する方法において、
ユーザから送信対象である目的ファイルに対する第１選択命令の入力を受ける段階と、
前記目的ファイルの受信対象者に対する第２選択命令の入力を受ける段階と、
前記目的ファイルが前記受信対象者に送信されるようにするための送信命令の入力を受ける段階と、を含み、
前記第１選択命令、前記第２選択命令および前記送信命令は、前記ユーザインターフェース上で前記ユーザによって選択された位置の追跡結果により生成され、
前記第１選択命令、前記第２選択命令および前記送信命令が生成される前に前記インターフェース上に前記第１選択命令、前記第２選択命令および前記送信命令を実行する領域が生成されて表示される、ファイル伝送のためのユーザインターフェースを提供する方法。
【請求項１２】
前記入力された第１命令により前記目的ファイルがグループ別に表示される請求項１１に記載のファイル伝送のためのユーザインターフェースを提供する方法。
【請求項１３】
前記表示されたグループを選択時、該当グループ内のファイルが表示される請求項１２に記載のファイル伝送のためのユーザインターフェースを提供する方法。
【請求項１４】
前記第１選択命令は、前記ファイル目録領域でタッチ、ドラッグおよびスクロールのうち何れか一つ以上の動作により入力され、前記第１選択命令により少なくとも一つ以上のファイルが選択される請求項１３に記載のファイル伝送のためのユーザインターフェースを提供する方法。
【請求項１５】
前記入力された第２命令により前記受信対象者がグループ別に表示される請求項１１に記載のファイル伝送のためのユーザインターフェースを提供する方法。
【請求項１６】
前記表示されたグループを選択時、該当グループ内の受信対象者が表示される請求項１５に記載のファイル伝送のためのユーザインターフェースを提供する方法。
【請求項１７】
前記第２選択命令は、前記伝送対象領域でタッチ、ドラッグおよびスクロールのうち何れか一つ以上の動作により入力され、前記第２選択命令により少なくとも一つ以上の受信対象者が選択される請求項１６に記載のファイル伝送のためのユーザインターフェースを提供する方法。
【請求項１８】
前記送信された目的ファイルおよび受信対象者に対する履歴が表示される段階をさらに含む請求項１１に記載のファイル伝送のためのユーザインターフェースを提供する方法。
【発明の詳細な説明】
【技術分野】
【０００１】
本発明は、ファイル伝送のためのユーザインターフェースを提供する装置および方法に関する。より詳細には所定容量のファイルを保存して他の機器とデータ通信が可能なタッチスクリーンを使用するモバイル装置において、モバイル装置の画面を選択領域と実行領域で区分し、選択領域で伝送するファイルと伝送する対象を選択した後、実行領域に移動させ、ファイルを伝送することによってタッチドラッグによる誤動作を防止し、一つ以上の多数のファイルを一つ以上の多数の伝送対象者に伝送するファイル伝送のためのユーザインターフェースを提供する装置および方法に関するものである。
【背景技術】
【０００２】
一般的に、他の機器とデータ通信が可能なモバイル装置において、所定容量のファイルを他の機器または他のユーザに伝送するためには、伝送することを望むファイルを選択し、次の段階で伝送対象を選択したり、伝送対象を選択した後、次の段階で伝送することを望むファイルを選択して、ファイルを伝送するようになる。
【０００３】
この時、伝送することを望むファイルを選択し、次の段階で伝送対象を選択している間、既存に選択したファイルに他のファイルを追加したり、既存に選択したファイルからある一つのファイルを削除することを望む時は前の画面、すなわちファイル選択画面に戻り、ファイルをまた選択した後、改めて伝送対象選択画面で伝送対象を新たに選択しなければならない。
【０００４】
同様に、伝送対象を選択した後、次の段階で伝送することを望むファイルを選択している間、既存に選択した伝送対象に他の伝送対象を追加したり、既存に選択した伝送対象からある一つの伝送対象を削除することを望む時は上述した場合のように前の画面から改めて伝送対象を選択した後、伝送することを望むファイルを選択しなければならないという不便さがあった。
【０００５】
また、小さい画面に多様な機能を表現し実行しなければならないモバイル装置の限界によってユーザに直観的なインターフェースを提供するのが難しく、上述したファイル伝送作業をユーザの指やスタイラスペンのような物体をしようしてタッチドラッグで実行する場合、タッチの誤動作で望まない動作が直ちに実行されるという問題点もあった。
【０００６】
このため、特許文献１、「タッチスクリーンを利用したシステム制御方法」が提案されたが、小さい画面に多様な機能を入力し実行しなければならない携帯装置の限界を克服するために多くの数のユーザ入力キー（ｉｎｐｕｔ  ｋｅｙ）をタッチドラッグ動作に代替する方法だけを提示するのみで、上述した問題は相変らず解決することができずにいる。
【先行技術文献】
【特許文献】
【０００７】
【特許文献１】韓国公開特許第２００２−００３８１７７号公報
【発明の概要】
【発明が解決しようとする課題】
【０００８】
本発明はファイル伝送のためのユーザインターフェースを提供する装置および方法によって、ユーザに直観的な画面構成を提供することでタッチドラッグによる誤動作を防止し、簡単で楽な方法で一つ以上の多数のファイルを一つ以上の多数の伝送者に伝送することにその目的がある。
【０００９】
本発明の目的は以上で言及した目的に制限されず、言及されていないまた他の目的は下の記載から当業者に明確に理解され得るであろう。
【課題を解決するための手段】
【００１０】
前記目的を達成するために、ファイル伝送のためのユーザインターフェースを提供する装置は、ユーザインターフェースを提供する装置において、ユーザから送信対象である目的ファイルに対する第１選択命令の入力を受けるファイル目録領域と、前記目的ファイルの受信対象者に対する第２選択命令の入力を受ける伝送対象領域と、前記目的ファイルが前記受信対象者に送信されるようにするための送信命令の入力を受ける実行領域と、を含み、前記第１選択命令、前記第２選択命令および前記送信命令は、前記ユーザインターフェース上で前記ユーザによって選択された位置の追跡結果により生成され、前記第１選択命令、前記第２選択命令および前記送信命令が生成される前に前記ファイル目録領域、前記伝送対象領域および前記実行領域が生成されて表示される、ファイル伝送のためのユーザインターフェースを提供する。
【００１１】
前記目的を達成するために、本発明の実施形態によるファイル伝送のための方法は、前記ファイル目録領域は、前記入力された第１命令により前記目的ファイルがグループ別に表示される。
【発明の効果】
【００１２】
前記したような本発明の実施形態によるファイル伝送のための画面構成および操作方法によれば次のような効果が一つあるいはそれ以上ある。
【００１３】
ユーザに直観的な画面構成を提供することによってタッチドラッグによる誤動作を防止し、容易で楽な方法で一つ以上の多数のファイルを一つ以上の多数の伝送者に伝送するようにするという長所がある。
【図面の簡単な説明】
【００１４】
【図１】本発明の実施形態によるファイル伝送のための装置を図示したブロック図である。
【図２】本発明の実施形態によるファイル伝送のためのユーザインターフェースの構成要素を図示した図である。
【図３Ａ】本発明の実施形態によるファイル目録領域でのタッチ動作を図示した図である。
【図３Ｂ】本発明の実施形態によるファイル目録領域でのタッチ動作を図示した図である。
【図３Ｃ】本発明の実施形態によるファイル目録領域でのタッチ動作を図示した図である。
【図４Ａ】本発明の実施形態によるタッチとスクロールを使用した一つ以上の多数のファイルを選択する方法を図示した図である。
【図４Ｂ】本発明の実施形態によるタッチとスクロールを使用した一つ以上の多数のファイルを選択する方法を図示した図である。
【図４Ｃ】本発明の実施形態によるタッチとスクロールを使用した一つ以上の多数のファイルを選択する方法を図示した図である。
【図５】本発明の実施形態によるオープンされたファイルグループとオープンされたファイルグループのクローズに対する操作方法を図示した図である。
【図６Ａ】本発明の実施形態による伝送対象領域でのタッチ動作を図示した図である。
【図６Ｂ】本発明の実施形態による伝送対象領域でのタッチ動作を図示した図である。
【図６Ｃ】本発明の実施形態による伝送対象領域でのタッチ動作を図示した図である。
【図７Ａ】本発明の実施形態によるタッチとスクロールを使用した一つ以上の多数の伝送対象を選択する方法を図示した図である。
【図７Ｂ】本発明の実施形態によるタッチとスクロールを使用した一つ以上の多数の伝送対象を選択する方法を図示した図である。
【図７Ｃ】本発明の実施形態によるタッチとスクロールを使用した一つ以上の多数の伝送対象を選択する方法を図示した図である。
【図８】本発明の実施形態によるオープンされた伝送対象グループとオープンされた伝送対象グループのクローズに対する操作方法を図示した図である。
【図９Ａ】本発明の実施形態によるドラッグを利用して、ファイルを実行領域に移動させる動作方法を図示した図である。
【図９Ｂ】本発明の実施形態によるドラッグを利用して、ファイルを実行領域に移動させる動作方法を図示した図である。
【図９Ｃ】本発明の実施形態によるドラッグを利用して、ファイルを実行領域に移動させる動作方法を図示した図である。
【図１０】本発明の実施形態によるドラッグを利用して、伝送対象を実行領域に移動させる動作方法を図示した図である。
【図１１Ａ】本発明の実施形態による実行領域でファイルを伝送対象に送る操作方法を図示した図である。
【図１１Ｂ】本発明の実施形態による実行領域でファイルを伝送対象に送る操作方法を図示した図である。
【図１１Ｃ】本発明の実施形態による実行領域でファイルを伝送対象に送る操作方法を図示した図である。
【図１２】本発明の実施形態によるファイル伝送履歴領域を図示した図である。
【図１３】本発明の実施形態によるファイル目録領域でファイル伝送のためにタッチ動作を利用した操作方法の過程を図示したフローチャートである。
【図１４】本発明の実施形態による伝送対象領域でファイル伝送のためにタッチ動作を利用した操作方法の過程を図示したフローチャートである。
【図１５】本発明の実施形態による実行領域でファイル伝送のためにタッチ動作を利用した操作方法の過程を図示したフローチャートである。
【発明を実施するための形態】
【００１５】
参考として、第１領域は上述したユーザインターフェースの構成要素のうち実行領域に該当する。
【００１６】
その他、実施形態の具体的な事項は詳細な説明および図面に含まれている。
【００１７】
本発明の利点および特徴、そしてそれらを達成する方法は添付される図面と共に詳細に後述される実施形態を参照すれば明確になるだろう。しかし本発明は以下に開示される実施形態に限定されるものではなく互いに異なる多様な形態で具現することができ、単に本実施形態は本発明の開示が完全なようにして本発明が属する技術分野で通常の知識を有する者に発明の範疇を完全に知らせるために提供されているものであり、本発明は請求項の範囲によってのみ定義される。明細書全体にかけて、同一参照符号は同一構成要素を指称する。
【００１８】
以下、本発明の実施形態によるファイル伝送のためのユーザインターフェースを提供する装置および方法を説明するためのブロック図またはフローチャートに対する図面を参考にして本発明に対して説明する。
【００１９】
この時、フローチャート図面の各ブロックとフローチャート図面の組合はコンピュータプログラムインストラクションらよって遂行される可能性があることを理解できるであろう。
【００２０】
これらコンピュータプログラムインストラクションは凡庸コンピュータ、特殊用コンピュータまたはその他プログラム可能なデータプロセシング装備のプロセッサに搭載され得るため、コンピュータまたはその他プログラム可能なデータプロセシング装備のプロセッサを通して、遂行されるそのインストラクションがフローチャートブロックで説明された機能を遂行する手段を生成するようになる。
【００２１】
これらコンピュータプログラムインストラクションは特定方式で機能を具現するためにコンピュータまたはその他プログラム可能なデータプロセシング装備を指向できるコンピュータ利用可能またはコンピュータ判読可能メモリに保存されることも可能なため、そのコンピュータ利用可能またはコンピュータ判読可能メモリに保存されたインストラクションらはフローチャートブロックで説明された機能を遂行するインストラクション手段を含む製造品目を生産することも可能である。
【００２２】
コンピュータプログラムインストラクションはコンピュータまたはその他プログラム可能なデータプロセシング装備上に搭載されることも可能なため、コンピュータまたはその他プログラム可能なデータプロセシング装備上で一連の動作段階が遂行され、コンピュータで実行されるプロセスを生成し、コンピュータまたはその他プログラム可能なデータプロセシング装備を遂行するインストラクションはフローチャートブロックで説明された機能を実行するための段階を提供することも可能である。
【００２３】
また、各ブロックは特定された論理的機能を実行するための一つ以上の実行可能なインストラクションを含むモジュール、セグメントまたはコードの一部を示し得る。
【００２４】
また、いくつかの代替実行例ではブロックで言及された機能が順序を外れ、発生することも可能であることに注目しなければならない。
【００２５】
例えば、相次いで図示されている二つのブロックは実質的に同時に遂行されることも可能でまたはそのブロックが時には該当する機能によっては逆順で遂行されるのも可能である。
【００２６】
参考として、本発明のファイル伝送のためのユーザインターフェースを提供する装置および方法による実施形態はＰＤＡ、ＰＭＰ、ＭＰ３プレーヤー、携帯電話のような小型モバイル装置に適用され、ユーザの指やスタイラスペンのような物体を通して、タッチ、ドラッグおよびスクロール動作で操作されることがあり、ＰＣに適用されてマウスのような入力装置を通して、クリック、ドラッグおよびスクロール動作で操作され得る。
【００２７】
説明の便宜上、本発明の実施形態では小型モバイル装置に適用されユーザの指やスタイラスペンのような物体を通してタッチ、ドラッグおよびスクロール動作で操作される場合を説明する。
【００２８】
以下、添付された図面を参照し本発明の好ましい実施形態を詳細に説明する。
【００２９】
図１は本発明の実施形態によるファイル伝送のための装置を図示したブロック図である。
本発明の実施形態によるファイル伝送のためのユーザインターフェースを提供する装置１００はユーザインターフェースに入力された動作を認識し入力された動作の位置を把握する動作認識モジュール１０１、認識された入力動作および把握された入力動作の位置に対応する動作を実行し、実行された動作に応じてユーザインターフェースの構成要素を変更する動作実行モジュール１０２、ユーザインターフェースの構成要素および変更されたユーザインターフェースの構成要素を表示する表示モジュール１０３、認識された入力動作および把握された入力動作の位置に応じて伝送対象にファイルを伝送する通信モジュール１０４、保存されたファイルおよびファイルグループを管理するファイル管理モジュール１０５および各モジュールを制御する制御モジュール（１０６）を含む。
【００３０】
本発明の実施形態で使用される「〜モジュール」という用語はソフトウェアまたはＦＰＧＡ（Ｆｉｅｌｄ  Ｐｒｏｇｒａｍｍａｂｌｅ  Ｇａｔｅ  Ａｒｒａｙ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のようなハードウェア構成要素を意味し、「〜モジュール」はある役割を遂行する。
【００３１】
しかし「〜モジュール」はソフトウェアまたはハードウェアに限定される意味ではない。「〜モジュール」はアドレッシングできる保存媒体に存在するように構成され得るが、またはそれ以上のプロセッサを再生させるように構成され得る。
【００３２】
したがって、一例として「〜モジュール」はソフトウェア構成要素、オブジェクト指向ソフトウェア構成要素、クラス構成要素およびタスク構成要素のような構成要素と、プロセス、関数、属性、プロシーザ、サブルーチン、プログラムコードセグメント、ドライバ、ファームウェア、マイクロコード、回路、データ、データベース、データベース構造、テーブル、アレイ、および変数を含む。
【００３３】
構成要素と「〜モジュール」のなかで提供される機能はさらに小さい数の構成要素および「〜モジュール」に結合したり追加的な構成要素と「〜モジュール」にさらに分離したりされ得る。
【００３４】
参考として、ユーザインターフェースの構成要素は図２を参照して詳細に後述する。
【００３５】
本発明の実施形態によるファイル伝送のためのユーザインターフェースを提供する装置１００のうち動作認識モジュール１０１はユーザインターフェースに入力されたタッチ動作を認識してタッチ動作の位置を把握する。
【００３６】
ここで「タッチ動作」とはタッチスクリーンにユーザの指やスタイラスペンのような物体の接触による動作、すなわちタッチ、ドラッグおよびスクロールのような動作を意味し、単純にタッチだけに限定されるものではない。
【００３７】
また、「タッチ動作の位置」は伝送することを望むファイルおよび伝送対象を選択して選択したファイルを伝送対象に伝送するためのユーザの指やスタイラスペンのような物体の接触位置を意味する。
【００３８】
前述した物体の接触位置を認識するために動作認識モジュール１０１は１点タッチ感知スクリーンおよび多点タッチ感知スクリーンのうち何れか一つを含むことができ、本発明の実施形態では動作認識モジュール１０１が多点タッチ感知スクリーンを含み、一つ以上の多数の接触位置を認識する場合を説明する。
【００３９】
参考として、本発明の他の実施形態によるファイル伝送のためのユーザインターフェースを提供する装置１００はＰＣに適用され、前述した動作認識モジュール１０１がマウスのような入力装置を通して、クリック、スクロールおよびドラッグのような動作の入力を認識し入力された動作の位置を把握することができる。
【００４０】
以下、ファイル伝送のためのユーザインターフェースを提供する装置１００の実施形態でタッチスクリーンを使用する場合を説明するものであり、本発明ではユーザの指を使用して、ファイル伝送のためのモバイル装置を操作すると仮定する。
【００４１】
一方、動作実行モジュール１０２は前述したタッチ動作およびタッチ動作の位置に対応する動作を実行し、実行された動作に応じてユーザインターフェースの構成要素を変更する。
【００４２】
例えば、所定のフォルダに一つ以上の多数のファイルが存在し、フォルダをタッチすれば該当フォルダがオープンされフォルダに含まれた一つ以上の多数のファイルがリストに表示されると仮定した時、動作認識モジュール１０１でフォルダに対する物体のタッチとタッチの位置がフォルダであることを認識すれば、動作実行モジュール１０２はフォルダのタッチに対応する動作のフォルダをオープンしてフォルダに含まれた一つ以上の多数のファイルをリストに変更させる。
【００４３】
ここで「ユーザインターフェースの構成要素」は前述したファイル目録領域、伝送対象領域および実行領域を含み、ファイルおよびファイル目録、伝送対象および伝送対象目録そしてボタンやアイコンのようなユーザインターフェースに表示される一つ以上の多数のオブジェクトを意味する。
【００４４】
参考として、ファイル目録は音楽、動画およびテキストファイルのようなオブジェクトを順次的に羅列したものを意味し、各々のファイルは一つの関連したグループから形成され、順次的に羅列され得る。
【００４５】
また、伝送対象の目録は電話番号およびメール住所のようなオブジェクトを順次的に羅列したものを意味し、各々の伝送対象もやはり、ファイル目録のように一つの関連したグループで形成され、順次的に羅列され得る。
【００４６】
本発明で「ユーザインターフェースに表示されるオブジェクト」は前述したファイルおよびファイル目録、伝送対象および伝送対象目録そしてボタンやアイコンだけに限定されず、ユーザのタッチ動作に応じて該当機能を実行したり移動することができるオブジェクトならば、本発明の実施形態によるユーザインターフェースの構成要素、すなわちユーザインターフェースに表示されるオブジェクトに含めなければならないことは自明な事実である。
【００４７】
図２は本発明の実施形態によるファイル伝送のためのユーザインターフェースの構成要素を図示した図である。
【００４８】
本発明の実施形態によるファイル伝送のためのユーザインターフェースの構成要素は、伝送するファイルが選択され、選択されたファイルが移動するファイル目録領域２１０、前記選択されたファイルを伝送する伝送対象が選択され選択された対象が移動される伝送対象領域２２０および選択されたファイルおよび選択された伝送対象が移動され選択されたファイルが選択された伝送対象に伝送される実行領域２３０を含む。
【００４９】
ファイル目録領域２１０は所定の保存モジュールに保存されたファイルらの目録が表示され、ユーザはファイル目録領域２１０でタッチ動作により伝送するファイルを選択して選択したファイルを移動させる。
【００５０】
参考として、本発明の実施形態では所定の保存モジュールに一つ以上の多数の音楽ファイル、テキストファイルおよびイメージファイルが存在し、保存されたファイルおよびファイルグループを管理するファイル管理モジュール１０５によって各々音楽ファイルグループ２１１、テキストファイルグループ２１２およびイメージファイルグループ２１３から形成され、フォルダ形態でファイル目録領域２１０に表示され、ユーザは音楽ファイルを所定の伝送対象に伝送しようとするものと仮定する。
【００５１】
図３Ａないし図３Ｃは本発明の実施形態によるファイル目録領域でのタッチ動作を図示した図である。
【００５２】
前述したように各音楽ファイルが音楽ファイルグループ２１１に含まれ表示される場合、ユーザは音楽ファイルグループ２１１に含まれたファイルを見るためにファイルグループ領域内で操作を行い、図３Ａのようにファイル目録領域２１０に表示された音楽ファイルグループ２１１を右側方向のドラッグで選択する。
【００５３】
この時、音楽ファイルグループ２１１に含まれたファイルを見るためのドラッグの方向は本発明の実施形態で限定しないが、各動作の機能別に一貫性ある方向を有するのが好ましい。
【００５４】
動作認識モジュール１０１はユーザがユーザインターフェースに入力したドラッグを認識してその位置を把握した後、該当位置のオブジェクトに対する情報を動作実行モジュール１０２に伝達する。
【００５５】
ここで「該当位置のオブジェクト」は音楽ファイルグループ２１１であり、「該当位置のオブジェクトに対する情報」は音楽ファイルグループ２１１に含まれた各音楽ファイルの個数、各ファイルの容量のような情報を意味する。
【００５６】
動作実行モジュール１０２は音楽ファイルグループ２１１に存在する多数のファイル２１１ａを図３Ｂのようにファイル目録領域２１０上にポップアップ（Ｐｏｐ  ｕｐ）させることができ、図３Ｃのように音楽ファイルグループ２１１に含まれた多数の音楽ファイル２１１ａを、表示モジュール１０３によって、ファイル目録領域２１０にリスト形態で表示することができる。
【００５７】
以下、ファイルグループに含まれた多数のファイルがファイル目録領域２１０上にリスト形態でポップアップされたり、ファイル目録領域２１０にリスト形態で表示されることを「ファイルグループのオープン」と表現し、「オープンされたファイルグループ」の多数のファイルがファイル目録領域２１０から除去されることを「ファイルグループのクローズ」と表現する。
【００５８】
一方、音楽ファイルグループ２１１に含まれた多数の音楽ファイルがリスト形態ですべて表示されることができない場合、動作実行モジュール１０２は２１１ｂのような画面構成要素を、表示モジュール１０３によって、ファイル目録領域２１０に表示しユーザが該当画面構成要素２１１ｂをタッチすればリスト形態で表示できなかった他の音楽ファイルを見ることができる。
【００５９】
この時、動作実行モジュール１０２はファイル目録の領域２１０の大きさを他の領域の大きさよりさらに拡大して、ユーザに現在作業中である領域を直観的に感じることができるようにする。
【００６０】
ユーザはファイル目録の領域２１０に表示されたリスト形態のファイル目録２１１ａで伝送することを望むファイルが一つである場合、伝送することを望む一つのファイルをタッチして選択する。
【００６１】
図４Ａないし図４Ｃは本発明の実施形態によるタッチとスクロールを使用した一つ以上の多数のファイルを選択する方法を図示した図である。
【００６２】
一つ以上の多数のファイルが選択されるためには多点タッチ感知スクリーンが適用された装置が必要であり、図１によって説明したように、本発明の実施形態によるファイル伝送のためのユーザインターフェースを提供する装置１００は一つ以上の多数のファイルを選択できるように多点タッチ感知スクリーンが適用されたものと仮定する。
【００６３】
図４Ａは本発明の実施形態によるタッチとスクロールを使用した連続した一つ以上の多数のファイルを選択する方法を図示した図である。
【００６４】
図３Ｂのように音楽ファイルグループ２１１に含まれる多数の音楽ファイル２１１ａがファイル目録領域２１０上にリスト形態でポップアップ（Ｐｏｐ  ｕｐ）されており、ユーザは音楽１ファイル２１１ｃから音楽４ファイル２１１Ｆまで連続した４個のファイル２１１ｃ〜２１１Ｆを選択するものと仮定する。
【００６５】
連続した一つ以上の多数のファイル２１１ｃ〜２１１Ｆを選択するために、ユーザは左手で該当ファイルグループ、すなわち音楽ファイルグループ２１１をタッチした状態で、右手で選択することを望むファイルのうち最も上位あるいは下位に位置したファイル２１１ｃをタッチして、タッチしたファイル２１１ｃから選択することを望むファイルのうち最も下位あるいは上位に位置したファイル２１１Ｆまでスクロールすることによって、連続した一つ以上の多数のファイル選択が可能である。
【００６６】
図４Ｂないし図４Ｃは本発明の実施形態によるタッチとスクロールを使用した連続しない一つ以上の多数のファイルを選択する方法を図示した図である。
【００６７】
図３Ｂのように音楽ファイルグループ２１１に存在する多数の音楽ファイル２１１ａがファイル目録領域２１０上にリスト形態でポップアップ（Ｐｏｐ  ｕｐ）されており、ユーザは音楽１ファイル２１１ｃ、音楽３ファイル２１１ｅおよび音楽４ファイル２１１Ｆのように連続しない一つ以上の多数のファイル２１１ｃ、２１１ｅ、２１１Ｆを選択するものと仮定する。
【００６８】
連続した一つ以上の多数のファイルでない、連続しない一つ以上の多数のファイル２１１ｃ、２１１ｅ、２１１Ｆを選択する場合、ユーザは左手で該当ファイルグループ、すなわち音楽ファイルグループ２１１をタッチした状態で図４Ｂのように右手で望むファイルらを各々タッチしたり、図４Ｃのように音楽１ファイル２１１ｃを先にタッチで選択した後、音楽３ファイル２１１ｅおよび音楽４ファイル２１１Ｆは連続したファイルであるから図４Ａを参照して、説明したスクロール方法のように音楽３ファイル２１１ｅおよび音楽４ファイル２１１Ｆをスクロールで選択して連続しない一つ以上の多数のファイルを選択することができる。
【００６９】
この時、タッチとスクロールの動作の順序は本発明の実施形態で限定しておらず、連続したファイルをスクロールで先に選択して、次に残ったファイルをタッチで選択することができる。
【００７０】
図５は、本発明の実施形態によるオープンされたファイルグループとオープンされたファイルグループのクローズに対する操作方法を図示した図である。
【００７１】
ユーザがフォルダ形態の音楽ファイルグループ２１１のクローズを望むならば、図５に図示された音楽ファイルの目録のうち何れか一つを選択し、図４Ａないし図４Ｂに図示されたように左側方向にドラッグすれば該当ファイルグループのフォルダ、すなわち音楽ファイルグループ２１１がクローズされるようになり、動作実行モジュール１０２は他の領域の大きさよりさらに拡大したファイル目録の領域２１０の大きさを原状態に復元する。
【００７２】
伝送対象領域２２０は所定の保存モジュールに保存された伝送対象の目録が表示され、ユーザはタッチ動作によって伝送する対象を選択し選択した伝送対象を移動させる。
【００７３】
図６Ａないし図６Ｃは本発明の実施形態による伝送対象領域でのタッチ動作を図示した図である。
【００７４】
本発明の実施形態では所定の保存モジュールに電話番号、メール住所のような伝送対象が一つ以上の多数で存在し、各々の伝送対象はその関連性によって多数の伝送対象グループ、すなわち友人グループ２２１、会社グループ２２２で形成され、フォルダ形態で伝送対象領域２２０に表示され、該当モバイル装置はファイル目録領域２１０で選択した一つ以上の多数のファイルを伝送対象に伝送することができるように有線および無線データ通信のうち何れか一つの通信方法に連結されているものと仮定する。
【００７５】
参考として図６Ａに図示された「山田太郎」という伝送対象２２３は友人グループ２２１および会社グループ２２２のうち何れのグループにも属しない独立的な伝送対象である。
【００７６】
ユーザは、伝送対象を選択するために、図６Ａのように伝送対象領域２２０に表示された伝送対象グループ２２１、２２２および伝送対象２２３のうちで友人グループ２２１を左側方向のドラッグで選択する。
【００７７】
この時、ドラッグの方向は本発明の実施形態で限定しないが、各動作の機能別に一貫性ある方向を有するのが好ましい。
【００７８】
動作認識モジュール１０１はユーザが入力したドラッグ動作を認識し、その位置を把握した後、該当位置のオブジェクトに対する情報を動作実行モジュール１０２に伝達する。
【００７９】
ここで「該当位置のオブジェクトに対する情報」とは、該当位置のオブジェクトは友人グループ２２１であり、これに対する情報は友人グループ２１１に含まれた各伝送対象の数、各伝送対象の電話番号、Ｅメール住所のような情報を意味する。
【００８０】
図６Ｂないし図６Ｃは本発明の実施形態によるドラッグによって伝送対象グループに含まれた伝送対象がリストとして表示されることを図示した図である。
【００８１】
動作実行モジュール１０２は友人グループ２２１に存在する多数の伝送対象２２１ａを図６Ｂのように伝送対象領域２２０上にポップアップさせることができ、フォルダ形式の友人グループ２２１を図６Ｃのように、表示モジュール１０３によって、伝送対象領域２２０にリスト形態で表示する。
【００８２】
この時、動作実行モジュール１０２は伝送対象領域２２０の大きさを他の領域の大きさよりさらに拡大し、ユーザに現在作業中である領域を直観的に感じることができるようにする。
【００８３】
以下、友人グループ２２１のような伝送対象グループに含まれた多数の伝送対象が伝送対象領域２２０上にリスト形態でポップアップされたり、伝送対象領域２２０にリスト形態で表示されることを「伝送対象グループのオープン」と表現し、「オープンされた伝送対象グループ」の多数の伝送対象が伝送対象領域２２０から除去されることを「伝送対象グループのクローズ」と表現するようにする。
【００８４】
ユーザは伝送対象領域２２０に表示された伝送対象目録２２１ａで伝送することを望む伝送対象が一つである場合、伝送することを望む一つの伝送対象をタッチして選択する。
【００８５】
万一、一つの伝送対象でない、一つ以上の多数の伝送対象を選択するためには図７Ａないし７Ｃに図示されたようにタッチとスクロールを使用することができる。
【００８６】
この時、一つ以上の多数の伝送対象が選択されるためには多点タッチ感知スクリーンが適用された装置が必要であり、図１によって説明したように、本発明の実施形態によるファイル伝送のためのユーザインターフェースを提供する装置１００は一つ以上の多数の伝送対象を選択することができるように多点タッチ感知スクリーンが適用されたものと仮定する。
【００８７】
図７Ａないし図７Ｃは本発明の実施形態によるタッチとスクロールを使用した一つ以上の多数の伝送対象を選択する方法を図示した図である。
【００８８】
参考として、図６Ｃに図示されたように友人グループ２２１に存在する多数の伝送対象２２１ａが伝送対象領域２２０にリストで表示されており、ユーザは友人１  ２２１ｃから友人４  ２２１ｆまで連続した４個の伝送対象２２１ｃ〜２２１ｆを選択するものと仮定する。
【００８９】
図７Ａは連続された一つ以上の多数の伝送対象を選択するために、図４Ａないし図４Ｃを参照して説明したものと類似するように、右手で該当伝送グループ、すなわち友人グループ２２１の所定の位置をタッチした状態で、左手で選択することを望む伝送対象のうち最も早く位置した伝送対象の友人１  ２２１ｃをタッチして、タッチした伝送対象２２１ｃから選択すること望む伝送対象のうち最も最後に位置した伝送対象の友人４  ２１１Ｆまでスクロールすることによって、連続した一つ以上の多数の伝送対象の選択が可能なことを示している。
【００９０】
万一、連続した一つ以上の多数の伝送対象でない、連続しない一つ以上の多数の伝送対象２２１ｃ、２２１ｅ、２２１ｆを選択する場合、右手で該当伝送グループ、すなわち友人グループ２２１の所定の位置をタッチした状態で図７Ｂのように左手で望む伝送対象２２１ｃ、２２１ｅ、２２１ｆを各々タッチして、伝送対象を選択したり、図７Ｃのように友人１  ２２１ｃをまずタッチで選択した後、友人３  ２２１ｅおよび友人４  ２２１ｆは伝送対象リスト２２１ａで連続された伝送対象であるため、図７Ａを参照し、説明したスクロール方法のように友人３  ２２１ｅおよび友人４  ２２１ｆをスクロールで選択し連続されていない一つ以上の多数の伝送対象を選択することができる。
【００９１】
この時、タッチとスクロールの動作順序は本発明の実施形態で限定しておらず、連続された伝送対象をスクロールでまず選択し、次に残った伝送対象をタッチで選択することができる。
【００９２】
図８は本発明の実施形態によるオープンされたファイルグループとオープンされたファイルグループのクローズに対する操作方法を図示した図である。
【００９３】
万一、ユーザがオープンされたフォルダ形態の友人グループ２２１のクローズを望むならば図８に図示された伝送対象目録２２１ａのうちある一つの伝送対象を選択して、右側方向にドラッグすればフォルダ形態の該当ファイルグループ、すなわち友人グループ２２１がクローズされるようになり、動作実行モジュール１０２は他の領域の大きさよりさらに拡大した伝送対象領域２２０の大きさを原状態に復元する。
【００９４】
実行領域２３０は前述したファイル目録領域２１０で選択されたファイルおよび伝送対象領域２２０で選択された伝送対象が移動され選択されたファイルが選択された伝送対象に伝送される。
【００９５】
図９Ａないし図９Ｃは本発明の実施形態によるドラッグを利用してファイルを実行領域に移動させる動作方法を図示した図である。
【００９６】
まず、一つのファイルを伝送するために、ファイル目録領域２１０で選択されたファイルが実行領域２３０に移動する場合を説明する。
【００９７】
図９Ａのように、ユーザはファイル目録領域２１０にポップアップされたファイル目録リスト２１１ａで一つのファイル２１１ｃをタッチで選択してドラッグで選択したファイル２１１ｃを実行領域２３０に移動させる。
【００９８】
この時、実行領域２３０にファイル２１１ｃがドラッグされると実行領域２３０内に一つの伝送グループ領域２３１が生成され、次に図９Ｂのようにユーザが異なる一つのファイル２１１ｅをファイル目録領域２１０で選択し実行領域２３０内の以前に生成された伝送グループ領域２３１にドラッグすれば該当伝送グループ２３１と一グループを形成する。
【００９９】
万一ユーザが以前に生成された伝送グループ領域２３１でない他の領域にドラッグすれば図９Ｃに図示されたように新しい伝送グループ領域２３２を生成するようになる。
【０１００】
これと同一に、一つ以上の多数のファイルを伝送するためにファイル目録領域２１０で選択された多数のファイルが実行領域２３０に移動する場合、実行領域２３０に多数のファイルが同時にドラッグされると、実行領域２３０内に一つの伝送グループ領域が生成される。
【０１０１】
次にユーザが多数の他のファイルをファイル目録領域２１０で選択し実行領域内の以前に生成された伝送グループ領域にドラッグすれば該当伝送グループと一グループを形成する。
【０１０２】
万一、ユーザが以前に生成された伝送グループ領域でない他の領域でドラッグすれば新しい伝送グループを生成するようになる。
【０１０３】
図１０は本発明の実施形態によるドラッグを利用して伝送対象を実行領域に移動させる動作方法を図示した図である。
【０１０４】
一つまたは一つ以上の多数のファイルを伝送する場合、伝送対象は一つになることができず、一つ以上多数となり得る。
【０１０５】
ユーザは、伝送対象領域２２０で図７Ａないし図７Ｃを参照して説明したように、伝送することを望む一つの伝送対象または一つ以上の多数の伝送対象をタッチおよびドラッグで選択することができる。
【０１０６】
説明の便宜上、図１０では一つの伝送対象を実行領域２３０に移動させる実施形態を説明する。
【０１０７】
ユーザは伝送対象領域２２０で伝送対象として友人２  ２２１Ｄを選択してドラッグで実行領域２３０に移動させる。
【０１０８】
実行領域２３０に伝送対象である友人２  ２２１Ｄがドラッグされると実行領域２３０内に一つの伝送待機者グループ領域２３３が生成される。
【０１０９】
次に、ユーザが異なる一つの伝送対象または一つ以上の多数の伝送対象を伝送対象領域２２０で選択し、選択された伝送対象を実行領域２３０内の以前に生成された伝送待機者グループ領域２３３にドラッグすれば、ドラッグに移動した伝送対象は以前に生成された伝送待機者グループのようなグループを形成するようになる。
【０１１０】
万一、ユーザが以前に生成された伝送待機者グループ領域２３３でない実行領域２３０内の所定の領域にドラッグすれば新しい伝送待機者グループを生成するようになる。
【０１１１】
前述した操作方法によって、実行領域２３０内に一つ以上の多数の伝送グループと一つ以上の多数の伝送待機者グループが生成されることがあり、ユーザは一つの特定伝送グループを一つの特定伝送待機者グループの領域内にドラッグさせて、ファイルを伝送対象に伝送することができる。
【０１１２】
図１１Ａないし図１１Ｃは本発明の実施形態による実行領域でファイルを伝送対象に伝送する操作方法を図示した図である。
【０１１３】
実行領域２３０内に伝送グループ２３１、２３２および伝送待機者グループ２３３が存在し、ユーザは音楽４ファイル２１１Ｆを友人２  ２２１Ｄに伝送しようとするものと仮定する。
【０１１４】
図１１Ａのように、ユーザは選択領域２３０で音楽４ファイル２１１Ｆの伝送グループ２３２をドラッグして友人２  ２２１Ｄの伝送待機者グループ領域２３３にドラッグする。
【０１１５】
この時、伝送しようとするファイルを伝送対象にドラッグしたときにのみファイルが伝送されるものではない。
【０１１６】
図１１Ｂのように伝送対象２３３を伝送ファイルのグループ領域２３１にドラッグして、ファイルを伝送することができる。
【０１１７】
この時、通信モジュール１０４は有線および無線データ通信網のうちモバイル装置に連結された何れか一つの通信網にユーザがドラッグしたファイルを伝送対象に伝送し動作実行モジュール１０２は表示モジュール１０３によって、ファイルが伝送対象に伝送されていることを示す画面２４０を表示し、ユーザにフィードバックすることができる。
【０１１８】
ユーザにフィードバックされる画面２４０はファイル目録領域２１０や伝送対象領域２２０から実行領域２３０にドラッグしたファイルおよび伝送対象を視覚的に表現し、現在あるファイルがどの伝送対象に伝送されるかを直観的に知ることができるようになる。
【０１１９】
参考として、実行領域２３０で伝送ファイルおよび伝送グループそして伝送対象および伝送待機者グループのうち何れか一つ以上のファイルおよびグループを除去することを望む場合、該当ファイルおよびグループを実行領域２３０の外部方向にドラッグして実行領域２３０から除去することができる。
【０１２０】
ここで外部方向とは、伝送ファイルおよび伝送グループの場合、実行領域２３０でファイル目録領域２１０への方向を意味し、伝送対象および伝送待機者グループの場合、実行領域２３０で伝送対象領域２２０への方向を意味する。
【０１２１】
すなわち、実行領域２３０内部へのドラッグ移動はファイル伝送のための準備を意味し、実行領域２３０外部へのドラッグ移動はファイル伝送の取消しを意味する。
【０１２２】
また、ファイル目録領域２１０でフォルダ形式のグループをオープン（Ｏｐｅｎ）して該当グループに含まれたファイルをリスト形式で表示する時、ドラッグの方向はファイル目録領域２１０で実行領域２３０への方向であり、リスト形式で表示されたファイルがフォルダ形式のグループに改めて含まれる時、ドラッグの方向は実行領域２３０からファイル目録領域２１０の方向である。
【０１２３】
これと同一に、伝送対象領域２２０でもフォルダ形式のグループをオープンして、該当グループに含まれた伝送対象をリスト形式で表示する時、ドラッグの方向は伝送対象領域２２０から実行領域２３０への方向であり、リスト形式で表示された伝送対象がフォルダ形式のグループに改めて含まれる時、ドラッグの方向は実行領域２３０から伝送対象領域２２０の方向である。
【０１２４】
したがって、本発明の実施形態による画面領域の構造はドラッグの方向に一貫性を付与することによって、実行領域２３０を中心としてどの方向にドラッグを実行したのかによって、これから作業を進行するのかまたは作業を取消すのかをユーザに簡単に認知できるようにした。
【０１２５】
図１２は本発明の実施形態によるファイル伝送履歴領域を図示した図である。
【０１２６】
ファイルが伝送対象に伝送されると動作実行モジュール１０２は伝送されたファイルの情報と伝送対象の情報を表示モジュール１０３によって、ファイル伝送履歴領域２５０に表示する。
【０１２７】
ファイル伝送履歴領域２５０は所定の時間または期間の間、伝送されたファイルと伝送対象の情報２５１を表示し、ユーザの設定により実行領域と常に共に表示されたり、ファイル伝送履歴の照会が必要な状況にだけ表示されるように所定の位置にアイコン２３４を形成し、該当アイコン２３４をタッチした時、ファイル伝送履歴領域２５０を表示することができる。
【０１２８】
ファイル伝送履歴領域２５０がディスプレイされれば動作実行モジュール１０２はモバイル装置の画面内にファイル伝送履歴領域２５０が表示されるだけ実行領域２３０の大きさを調節する。
【０１２９】
もちろん、ユーザが各領域の大きさをスクロールで調節することもできるため、表示される各領域の大きさが動作実行モジュール１０２によって調節されると限定しない。
【０１３０】
図１３は本発明の実施形態によるファイル目録領域でファイル伝送のためにタッチ動作を利用した操作方法の過程を図示したフローチャートである。
【０１３１】
ユーザのタッチ動作が入力されると動作認識モジュール１０１は入力されたタッチ動作を感知して（Ｓ１３０１）ファイル目録領域２１０の選択なのか判断する（Ｓ１３０２）。
【０１３２】
判断の結果、ファイル目録領域２１０の選択であれば動作実行モジュール１０２はユーザがタッチしたファイル目録領域２１０を活性化させファイル目録領域２１０の大きさが異なる領域の大きさより広くなるように調節する（Ｓ１３０３）。
【０１３３】
万一Ｓ１３０２の判断の結果、ファイル目録領域２１０の選択でない場合は図１４ないし図１５を参照して説明する。
【０１３４】
Ｓ１３０３の後、ユーザのタッチ動作が継続して入力されると動作認識モジュール１０１は入力されたタッチ動作がファイルグループの選択なのか判断する（Ｓ１３０４）。
【０１３５】
判断の結果、ファイルグループを選択した場合でなければ、動作認識モジュール１０１は入力されたタッチ動作がファイルの選択なのか判断する（Ｓ１３０５）。
【０１３６】
万一、Ｓ１３０５結果、ファイルの選択でないならば、すなわちファイル目録領域２１０でのユーザタッチ動作がファイルグループを選択したものでも、ファイルを選択したものでもないならば、動作認識モジュール１０１はユーザが余白をタッチしたものと見なしてＳ１３０１の段階を反復する。
【０１３７】
Ｓ１３０４の結果、ファイルグループを選択した場合ならば、動作実行モジュール１０２は該当グループに属したファイルをリスト形式で表示モジュール１０３によって、ファイル目録領域２１０に表示、すなわちファイルグループをオープンする（Ｓ１３０６）。
【０１３８】
Ｓ１３０５の結果、ファイルを選択した場合でもＳ１３０６の後、ユーザは一つのファイルおよび一つ以上の多数のファイルを選択する（Ｓ１３０７）。
【０１３９】
Ｓ１３０７の後、ユーザのタッチ動作が継続して入力されると動作認識モジュール１０１は入力されたタッチ動作が実行領域２３０へのドラッグなのかを判断する（Ｓ１３０８）。
【０１４０】
Ｓ１３０８の結果、入力されたタッチ動作が実行領域２３０への移動、すなわちファイル目録領域２１０から実行領域２３０方向への移動ではないならば、動作実行モジュール１０２はファイル目録領域の大きさを原状態に調節する（Ｓ１３０９）。
【０１４１】
参考として、オープンされたファイルグループで一つ以上の多数のファイルを実行領域２３０からファイル目録領域２１０方向にドラッグした場合は動作実行モジュール１０２によって、ファイルグループのクローズがまず実行されてファイル目録領域２１０の大きさが調節される。
【０１４２】
万一Ｓ１３０８の判断の結果、入力されたタッチ動作が実行領域２３０への移動のためのドラッグならば該当ファイルはファイル目録領域２１０から動作実行モジュール１０２によって実行領域２３０に移動する（Ｓ１３１０）。
【０１４３】
Ｓ１３１０の後、動作実行モジュール１０２はユーザによって、ドラッグされた実行領域２３０を活性化させて実行領域２３０の大きさがファイル目録領域２１０の大きさより広くなるように調節する（Ｓ１３１１）。
【０１４４】
Ｓ１３１１の後、ユーザのタッチ動作が継続入力されると動作認識モジュール１０１は入力されたタッチ動作が既存に存在したファイルグループ領域へのドラッグなのか判断する（Ｓ１３１２）。
【０１４５】
判断の結果、入力されたドラッグ動作が既存に存在したファイルグループ領域へのドラッグでない場合（Ｓ１３１２、いいえ）、動作実行モジュール１０２はドラッグされたファイルグループに対する別途のファイルグループ領域を生成し、実行領域２３０の所定の位置に表示モジュール１０３によって、表示する（Ｓ１３１３）。
【０１４６】
万一、Ｓ１３１２の結果、既存存在したファイルグループ領域へのドラッグの場合（Ｓ１３１２、はい）、ドラッグされたファイルグループは動作実行モジュール１０２によって、既存に存在したファイルグループに含まれ、動作実行モジュール１０２はドラッグされたファイルグループを既存存在したグループに含め、表示モジュール１０３によって、実行領域２２０に表示する（Ｓ１３１４）。
【０１４７】
図１４は本発明の実施形態による伝送対象領域２２０でファイル伝送のためにタッチ動作を利用した操作方法の過程を図示したフローチャートである。
【０１４８】
ユーザのタッチ動作が入力されると動作認識モジュール１０１は入力されたタッチ動作を感知して、伝送対象領域２２０の選択なのか判断する（Ｓ１４０１）。
【０１４９】
判断の結果、伝送対象領域２２０の選択ならば動作実行モジュール１０２はユーザがタッチした伝送対象領域２２０を活性化させて伝送対象領域２２０の大きさが異なる領域の大きさより広くなるように調節する（Ｓ１４０２）。
【０１５０】
万一、Ｓ１４０２の判断結果、伝送対象領域２２０の選択でない場合は図１５を参照して説明する。
【０１５１】
Ｓ１４０２の後、ユーザのタッチ動作が継続入力されると動作認識モジュール１０１は入力されたタッチ動作が伝送対象グループの選択なのか判断する（Ｓ１４０３）。
【０１５２】
判断の結果、伝送対象グループを選択した場合でなければ、動作認識モジュール１０１は入力されたタッチ動作が伝送対象を選択したものか判断する（Ｓ１４０４）。
【０１５３】
万一、Ｓ１４０４の結果、伝送対象の選択でないならば、すなわち伝送対象領域２２０でのユーザタッチ動作が伝送対象グループを選択したものでも、伝送対象を選択したのでもないならば、動作認識モジュール１０１はユーザが余白をタッチしたものと見なしＳ１３０１の段階を反復する。
【０１５４】
万一、Ｓ１４０３の結果、伝送対象グループを選択した場合ならば、動作実行モジュール１０２は該当グループに属した伝送対象をリスト形式で表示モジュール１０３によって、伝送対象領域２２０に表示、すなわち伝送対象グループをオープンする（Ｓ１４０５）。
【０１５５】
Ｓ１４０４の結果、伝送対象を選択した場合や、Ｓ１４０５の後、ユーザは一つの伝送対象および一つ以上の多数の伝送対象を選択する（Ｓ１４０６）。
【０１５６】
Ｓ１４０６の後、ユーザのタッチ動作が継続入力されると動作認識モジュール１０１は入力されたタッチ動作が実行領域２３０へのドラッグなのかを判断する（Ｓ１４０７）。
【０１５７】
判断の結果、入力されたタッチ動作が実行領域２３０への移動、すなわち伝送対象領域２２０から実行領域２３０方向への移動でないならば、動作実行モジュール１０２は伝送対象領域２２０の大きさを原状態に調節する（Ｓ１４０８）。
【０１５８】
参考として、オープンされた伝送対象グループで一つ以上の多数の伝送対象を実行領域２３０から伝送対象領域２２０方向にドラッグした場合は動作実行モジュール１０２によって、伝送対象グループのクローズが先に実行されて伝送対象領域２２０の大きさが調節される。
【０１５９】
万一、Ｓ１４０７判断結果、入力されたタッチ動作が実行領域２３０への移動のためのドラッグならば該当伝送対象は動作実行モジュール１０２によって、伝送対象領域２２０から実行領域２３０に移動する（Ｓ１４０９）。
【０１６０】
Ｓ１４０９の後、動作実行モジュール１０２はユーザによって、ドラッグされた実行領域２３０を活性化させて実行領域２３０の大きさが伝送対象領域２１０の大きさより広くなるように調節する（Ｓ１４１０）。
【０１６１】
Ｓ１４１０の後、ユーザのタッチ動作が継続入力されると動作認識モジュール１０１は入力されたタッチ動作が既存に存在した伝送対象グループ領域へのドラッグなのか判断する（Ｓ１４１１）。
【０１６２】
判断の結果、入力されたドラッグ動作が既存存在した伝送対象グループ領域へのドラッグでない場合（Ｓ１４１１、いいえ）、動作実行モジュール１０２はドラッグされた伝送対象グループに対する別途の伝送対象グループ領域を生成し、実行領域２３０の所定の位置に表示モジュール１０３によって、表示する（Ｓ１４１２）。
【０１６３】
万一、判断の結果、既存存在した伝送対象グループ領域へのドラッグの場合（Ｓ１４１１、はい）、ドラッグされた伝送対象グループは動作実行モジュール１０２によって、既に存在した伝送対象グループに含まれ、動作実行モジュール１０２はドラッグされた伝送対象グループを既に実行領域２３０に存在した伝送対象グループに含め、表示モジュール１０３によって、実行領域２２０に表示する（Ｓ１４１３）。
【０１６４】
図１５は本発明の実施形態による実行領域でファイル伝送のためにタッチ動作を利用した操作方法の過程を図示したフローチャートである。
【０１６５】
説明の便宜上、図１３ないし図１４に図示された過程によって、実行領域２３０には伝送するファイルグループおよびファイルを伝送する伝送対象グループがドラッグで移動するものと仮定する。
【０１６６】
ユーザのタッチ動作が入力されると動作実行モジュール１０２はユーザがタッチした実行領域２３０を活性化させて伝送対象領域２２０の大きさが異なる領域の大きさより広くなるように調節する（Ｓ１５０１）。
【０１６７】
Ｓ１５０１の後、ユーザのタッチ動作が継続して入力されると動作認識モジュール１０１は入力されたタッチ動作が既存に存在したグループ領域へのドラッグなのか判断する（Ｓ１５０２）。
【０１６８】
判断の結果、入力されたタッチ動作が既存に存在したグループ領域へのドラッグでない場合、動作実行モジュール１０２はドラッグされたファイルグループまたはドラッグされた伝送対象グループに対する別途のグループ領域を生成し、実行領域２３０の所定の位置に表示モジュール１０３によって、表示する（Ｓ１５０３）。
【０１６９】
万一、Ｓ１５０２の結果、既存に存在したグループ領域へのドラッグの場合、ドラッグされたファイルグループまたはドラッグされた伝送対象グループは動作実行モジュール１０２によって、既存に存在したグループに含まれ、動作実行モジュール１０２はドラッグされたファイルグループまたはドラッグされた伝送対象グループを既存に存在したグループに含め、表示モジュール１０３によって、実行領域２２０に表示する（Ｓ１５０４）。
【０１７０】
Ｓ１５０４の後、ユーザのタッチ動作が継続入力されると動作認識モジュール１０１は入力されたタッチ動作がファイル伝送のためのドラッグなのかを判断する（Ｓ１５０５）。
【０１７１】
判断結果、ファイル伝送のためのドラッグではない場合、すなわちファイルグループまたは伝送対象グループのうち何れか一つのグループが異なる一つのグループ領域にドラッグされない場合、該当グループは動作実行モジュール１０２によって、実行領域２３０から除去される（１５０６）。
【０１７２】
万一、Ｓ１５０５の結果、入力されたタッチ動作がファイル伝送のためのドラッグ、すなわちファイルグループまたは伝送対象グループのうち何れか一つのグループが異なる一つのグループ領域にドラッグされた場合、該当ファイルは通信モジュール１０４によって、該当伝送対象に伝送され、ファイル伝送履歴が存在することを知らせるアイコンが実行領域の所定の位置に表示される（Ｓ１５０７）。
【０１７３】
Ｓ１５０７の後、ユーザがファイル伝送履歴を紹介することを望みＳ１５０７で表示されたアイコンをタッチする場合（Ｓ１５０８）、動作実行モジュール１０２はファイル伝送時刻、伝送されたファイル名および伝送対象のようなファイル伝送履歴を表示モジュール１０３によって、ファイル伝送履歴領域２５０に表示する（Ｓ１５０９）。
【０１７４】
以上、添付された図面を参照して本発明の実施形態を説明したが、本発明が属する技術分野で通常の知識を有する者は本発明がその技術的思想や必須的な特徴を変更せずに他の具体的な形態で実施され得るということを理解することができるであろう。そのため、以上で記述した実施形態はすべての面で例示的なものであり、限定的なものでないものと理解しなければならない。
【符号の説明】
【０１７５】
１０１      動作認識モジュール
１０２      動作実行モジュール
１０３      表示モジュール
１０４      通信モジュール
１０５      ファイル管理モジュール
１０６      制御モジュール
【図１】
2014056599.tif 000003
【図２】
2014056599.tif 000004
【図３Ａ】
2014056599.tif 000005
【図３Ｂ】
2014056599.tif 000006
【図３Ｃ】
2014056599.tif 000007
【図４Ａ】
2014056599.tif 000008
【図４Ｂ】
2014056599.tif 000009
【図４Ｃ】
2014056599.tif 000010
【図５】
2014056599.tif 000011
【図６Ａ】
2014056599.tif 000012
【図６Ｂ】
2014056599.tif 000013
【図６Ｃ】
2014056599.tif 000014
【図７Ａ】
2014056599.tif 000015
【図７Ｂ】
2014056599.tif 000016
【図７Ｃ】
2014056599.tif 000017
【図８】
2014056599.tif 000018
【図９Ａ】
2014056599.tif 000019
【図９Ｂ】
2014056599.tif 000020
【図９Ｃ】
2014056599.tif 000021
【図１０】
2014056599.tif 000022
【図１１Ａ】
2014056599.tif 000023
【図１１Ｂ】
2014056599.tif 000024
【図１１Ｃ】
2014056599.tif 000025
【図１２】
2014056599.tif 000026
【図１３】
2014056599.tif 000027
【図１４】
2014056599.tif 000028
【図１５】
2014056599.tif 000029